(57)【特許請求の範囲】
【請求項１】
表示領域に収まらない閲覧対象の情報を表示する場合に、
ユーザの操作に応じてポインタを移動し、前記ポインタが前記表示領域外に移動した場合に、前記閲覧対象の情報に対する前記表示領域の位置を移動する第１のブラウジングモードと、
ユーザの操作量に応じて、前記閲覧対象の情報に対する表示領域の位置を移動する第２のブラウジングモードと、を切替え可能であり、
前記第１のブラウジングモードで、前記ポインタが領域外に移動した場合に、前記第２のブラウジングモードに遷移させる手段と、
前記第２のブラウジングモードで、指示手段になされた操作が終了した場合に、前記第１のブラウジングモードに遷移させる手段と、を備える携帯通信端末であって、
前記制御手段は、
前記第１のブラウジングモードにおいて、前記ポインタの近傍のリンクの表示を変化させ、
前記第２のブラウジングモードにおいて、前記表示領域中央に、全方向ポインタを表示して、前記全方向ポインタの近傍のリンクの表示を変化させる携帯通信端末。
【請求項２】
前記閲覧対象の情報はウェブページである
請求項１に記載の携帯通信端末。
【請求項３】
表示領域に収まらない閲覧対象の情報を表示する場合に、
ユーザの操作に応じてポインタを移動し、前記ポインタが前記表示領域外に移動した場合に、前記閲覧対象の情報に対する前記表示領域の位置を移動する第１のブラウジングモードと、
ユーザの操作量に応じて、前記閲覧対象の情報に対する表示領域の位置を移動する第２のブラウジングモードと、を切替え可能な携帯通信端末が、
前記第１のブラウジングモードで、前記ポインタが領域外に移動した場合に、前記第２のブラウジングモードに遷移させるステップと
前記第２のブラウジングモードで、指示手段になされた操作が終了した場合に、前記第１のブラウジングモードに遷移させるステップと、を含む表示制御方法であって、
さらに、
前記第１のブラウジングモードにおいて、前記ポインタの近傍のリンクの表示を変化させるステップと、
前記第２のブラウジングモードにおいて、前記領域中央に、全方向ポインタを表示して、前記全方向ポインタの近傍のリンクの表示を変化させるステップと、を含む、
表示制御方法。
【請求項４】
携帯端末に搭載されるコンピュータに実行させるブラウジングプログラムであって、
該携帯端末の表示領域に収まらないサイズの閲覧対象の情報を表示する場合に、
ユーザによって操作されるポインタが表示領域外に移動した場合に、前記閲覧対象の情報に対する前記表示領域の位置を移動する第１のブラウジングモードと、
ユーザの操作量に応じて、前記表示領域を移動する第２のブラウジングモードと、の切替え機能と、
前記第１のブラウジングモードで、前記ポインタが領域外に移動した場合に、前記第２のブラウジングモードに遷移させる機能と、
前記第２の状態で、指示手段になされた操作が終了した場合に、前記第１の状態に遷移させる機能と、
を実現するブラウジングプログラムであって、
さらに、
前記第１のブラウジングモードにおいて、前記ポインタの近傍のリンクの表示を変化させる機能と、
前記第２のブラウジングモードにおいて、前記領域中央に、全方向ポインタを表示して、前記全方向ポインタの近傍のリンクの表示を変化させる機能と、を実現するブラウジングプログラム。
【発明の詳細な説明】
【技術分野】
【０００１】
（関連出願）本願は、先の日本特許出願２００７−００５５５２号（２００７年１月１５日出願）の優先権を主張するものであり、前記先の出願の全記載内容は、本書に引用をもって繰込み記載されているものとみなされる。
本発明は、画像やテキストを表示する表示手段を備えた携帯通信端末、ウェブブラウジング方法、およびウェブブラウジングプログラムに関する。
【背景技術】
【０００２】
携帯電話機の画面に表示させる画像等の領域を変化（移動）させる従来の方法として、携帯電話機の画面に画像等とポインタとを重畳表示させ、当該ポインタが画面外に移動したタイミングで、画像等のうち画面に表示する部分を行ごとに移動（スクロール）する方法（以下、画面内ブラウジングと記す。）がある。【０００３】
また、携帯電話機に設けられているポインティングデバイスや十字キーになされた操作に従って、画像等のうち画面に表示する部分を行ごとに移動（スクロール）する方法（以下、サイト内ブラウジングと記す。）がある。【０００４】
特許文献１および特許文献２には、ポインティングデバイスを備えた携帯電話機が記載されている。【０００５】
【特許文献１】特開２００４−３１２４７６号公報（段落００１５〜００４７、図１）
【特許文献２】特開２００３−３０８１６８号公報（段落００１１〜００６１、図１）
【発明の開示】
【発明が解決しようとする課題】
【０００６】
なお、上記特許文献１、２の全開示内容はその引用をもって本書に繰込み記載する。
画面内ブラウジングは、リンクへのアンカ動作が容易であるが、画面外への移動をスムーズに行うことができないという問題がある。なお、リンクとは、ウェブページや、テキストファイル、画像データ、音声データ同士を文書中で相互に結び付ける仕組みをいう。アンカとは、ＨＴＭＬ（Ｈｙｐｅｒ  Ｔｅｘｔ  Ｍａｒｋｕｐ  Ｌａｎｇｕａｇｅ）で、ハイパーリンク（単にリンクともいう）に設定される要素（タグ）をいう。【０００７】
サイト内ブラウジングは、例えば、ニューロポインター（登録商標）を利用した場合に、画面をスムーズに移動させることができるが、アンカ等の表示物をポインティング（選択）しづらいという問題がある。【０００８】
そこで、本発明は、ユーザに意識させずにサイト内ブラウジングと画面内ブラウジングとを相互に切り替えることができる携帯通信端末、ブラウジング方法、およびブラウジングプログラムを提供することを目的とする。
【課題を解決するための手段】
【０００９】
本発明の第１の視点によれば、表示領域に収まらない閲覧対象の情報（例えば、ウェブページ）を表示する場合に、ユーザの操作に応じてポインタを移動し、前記ポインタが前記表示領域外に移動した場合に、前記閲覧対象の情報に対する前記表示領域の位置を移動する第１のブラウジングモードと、ユーザの操作量に応じて、前記閲覧対象の情報に対する表示領域の位置を移動する第２のブラウジングモードと、を切替え可能であり、前記第１のブラウジングモードで、前記ポインタが領域外に移動した場合に、前記第２のブラウジングモードに遷移させる手段と、前記第２のブラウジングモードで、指示手段になされた操作が終了した場合に、前記第１のブラウジングモードに遷移させる手段と、を備える携帯通信端末であって、前記制御手段は、前記第１のブラウジングモードにおいて、前記ポインタの近傍のリンクの表示を変化させ、前記第２のブラウジングモードにおいて、前記表示領域中央に、全方向ポインタを表示して、前記全方向ポインタの近傍のリンクの表示を変化させる携帯通信端末が提供される。
【００１０】
前記制御手段は、第１の状態で、ポインタが領域外に移動した場合に、閲覧対象の情報のうち表示手段に表示させる領域を変化させ、前記状態遷移手段は、第１の状態で、ポインタが領域外に移動した場合に、第２の状態に遷移させてもよい。【００１１】
前記状態遷移手段は、第２の状態で、指示手段になされた操作が終了した場合に、第１の状態に遷移させてもよい。【００１２】
本発明の第２の視点によれば、ユーザによって指示手段になされた操作に応じて表示手段に閲覧対象の情報を画面表示させるブラウジング方法であって、閲覧対象の情報のうち、指示手段になされた操作に応じた領域を表示手段に表示させる制御ステップを備え、制御ステップで、第１の状態で、閲覧対象の情報と指示手段になされた操作に応じて移動するポインタとを表示手段に重畳表示させ、ポインタが領域外に移動した場合に、閲覧対象の情報のうち表示手段に表示させる領域を変化させ、制御ステップで、第２の状態で、指示手段になされた操作に応じて閲覧対象の情報のうち表示手段に表示させる領域を変化させ、第１の状態で、ポインタが領域外に移動した場合に、閲覧対象の情報のうち表示手段に表示させる領域を変化させて、第２の状態に遷移し、第２の状態で、指示手段になされた操作が終了した場合に、第１の状態に遷移する遷移ステップを含むブラウジング方法が提供される。【００１３】
本発明の第３の視点によれば、閲覧対象の情報を画面表示する表示手段を備えた携帯通信端末に搭載されるブラウジングプログラムであって、コンピュータに、閲覧対象の情報のうち、ユーザによって指示手段になされた操作に応じた領域を表示手段に表示させる制御処理を実行させ、制御処理において、第１の状態で、閲覧対象の情報と指示手段になされた操作に応じて移動するポインタとを表示手段に重畳表示させ、ポインタが領域外に移動した場合に、閲覧対象の情報のうち表示手段に表示させる領域を変化させ、制御処理において、第２の状態で、指示手段になされた操作に応じて閲覧対象の情報のうち表示手段に表示させる領域を変化させるブラウジングプログラムが提供される。【００１４】
コンピュータに、前記制御処理において、第１の状態で、ポインタが領域外に移動した場合に、表示手段に表示させる領域を変化させて、第２の状態に遷移させ、第２の状態で、指示手段になされた操作が終了した場合に、第１の状態に遷移させてもよい。【００１５】
本発明の第４の視点によれば、表示領域に収まらない閲覧対象の情報を表示する場合に、ユーザによって操作されるポインタが前記表示領域外に移動した場合に、前記閲覧対象の情報に対する前記表示領域の位置を移動する第１のブラウジングモードと、ユーザの操作量に応じて、前記閲覧対象の情報に対する表示領域の位置を移動する第２のブラウジングモードと、を切替え可能であることを特徴とする携帯端末が提供される。【００１６】
本発明の第５の視点によれば、携帯端末に搭載されるコンピュータに実行させるブラウジングプログラムであって、該携帯端末の表示領域に収まらないサイズの閲覧対象の情報を表示する場合に、ユーザによって操作されるポインタが表示領域外に移動した場合に、前記閲覧対象の情報に対する前記表示領域の位置を移動する第１のブラウジングモードと、ユーザの操作量に応じて、前記表示領域を移動する第２のブラウジングモードと、の切替え機能を実現するブラウジングプログラムが提供される。
【発明の効果】
【００１７】
本発明によれば、ポインタが領域外に移動した場合に、表示手段に表示させる領域を変化させる第１の状態（画面内ブラウジング）と、指示手段になされた操作に応じて表示手段に表示させる領域を変化させる第２の状態（サイト内ブラウジング）との間を相互に遷移させて、第１の状態では容易なリンクへのアンカ動作を可能にし、第２の状態では画面をスムーズに移動させることができる。【００１８】
また、状態遷移手段が、第１の状態で、ポインタが領域外に移動した場合に、第２の状態に遷移させたり、第２の状態で、指示手段になされた操作が終了した場合に、第１の状態に遷移させたりするので、ユーザに意識させずにサイト内ブラウジングと画面内ブラウジングとを相互に切り替えることができる。
【図面の簡単な説明】
【００１９】
【図１】本発明によるブラウジング方法で閲覧対象の情報を表示する携帯電話機の外観を示す説明図である。
【図２】画面内ブラウジングによって画面に表示させる領域を変化（移動）させる場合を示す説明図である。
【図３】サイト内ブラウジングによって画面に表示させる領域を変化（移動）させる場合を示す説明図である。
【図４】画面に表示させる領域を変化（移動）させる方法を切り替える動作を説明するフローチャートである。
【図５】画面に表示させる領域を変化（移動）させる方法を、画面内ブラウジングからサイト内ブラウジングに切り替える動作を示す説明図である。
【図６】画面に表示させる領域を変化（移動）させる方法を、サイト内ブラウジングから画面内ブラウジングに切り替える動作を示す説明図である。
【図７】画面内ブラウジングにおけるリンクのアンカ動作を示す説明図である。
【図８】サイト内ブラウジングにおけるリンクのアンカ動作を示す説明図である。
【符号の説明】
【００２０】
１  携帯電話機
２  ディスプレイ
３  ポインティングデバイス
４  十字キー
５  ダイヤルキー
【発明を実施するための最良の形態】
【００２１】
本発明によるブラウジング方法の実施の形態について、図面を参照して説明する。図１は、本発明によるブラウジング方法によって閲覧対象の情報（例えば、画像）を表示することが可能な表示手段を備えた携帯電話機１の外観を示す説明図である。なお、以下の説明では、ウェブページが表示される場合を例にする。よって、ブラウジング方法をウェブブラウジング方法という。【００２２】
図１に示す携帯電話機（携帯通信端末）１は、ディスプレイ（表示手段）２、ポインティングデバイス３、十字キー４、およびダイヤルキー５を含む。なお、指示手段は、ポインティングデバイス３および十字キー４によって実現される。【００２３】
ディスプレイ２は、例えば、ＬＣＤ（Ｌｉｑｕｉｄ  Ｃｒｙｓｔａｌ  Ｄｉｓｐｌａｙ）等であり、携帯電話機１が備えている制御手段（図示せず）の制御に従って、情報（本実施の形態ではウェブページ）とポインタとを重畳表示する。なお、ディスプレイ２を画面ともいう。【００２４】
ポインティングデバイス３は、携帯電話機１に設けられた突起部（凸部）であって、ユーザの操作に従って、ウェブページのうち、画面に表示させる領域の移動（変化）を指示したり、ポインタの移動を指示したりする。十字キー４は、携帯電話機１に設けられたボタンであって、ユーザの操作に従って、ウェブページのうち、画面に表示させる領域の移動（変化）を指示したり、ポインタの移動を指示したりする。図１に示す例では、十字キー４は、「上」ボタン、「下」ボタン、「左」ボタンおよび「右」ボタンを含む。【００２５】
制御手段（状態遷移手段）は、ユーザによってポインティングデバイス３および十字キー４になされた操作に従って、情報（本実施の形態ではウェブページ）を画面（ディスプレイ２）に表示させる。また、制御手段は、ユーザによってポインティングデバイス３および十字キー４になされた操作に応じてポインタを表示する位置を変化させる。なお、ポインタとは、ユーザによってポインティングデバイス３および十字キー４になされた操作に応じて移動するキャラクタ（例えば、矢印状の記号）である。【００２６】
なお、ポインティングデバイス３は、ユーザの操作によって、携帯電話機１における当該ポインティングデバイス３が設けられている面の各方向にスライドしたり傾いたりする。そして、制御手段は、ポインティングデバイス３がスライドしたり、傾いたりした方向に、ポインタを表示する位置を変化させたり、ウェブページのうち画面に表示させる領域を変化させたりする。【００２７】
ダイヤルキー５は、携帯電話機１に発信先の電話番号等を入力するためのボタンである。【００２８】
携帯電話機１は、コンピュータに、ウェブページのうち、ユーザによってポインティングデバイス３および十字キー４になされた操作に応じた領域をディスプレイ２に表示させる制御処理を実行させ、制御処理において、第１の状態（画面内ブラウジング）で、ウェブページとポインティングデバイス３および十字キー４になされた操作に応じて移動するポインタとをディスプレイ２に重畳表示させ、ポインタが領域外に移動した場合に、ウェブページのうちディスプレイ２に表示させる領域を変化させ、制御処理において、第２の状態（サイト内ブラウジング）で、ポインティングデバイス３および十字キー４になされた操作に応じてウェブページのうちディスプレイ２に表示させる領域を変化させるためのウェブブラウジングプログラムを搭載している。【００２９】
図２は、画面内ブラウジングによって画面に表示させる領域を変化（移動）させる場合を示す説明図である。【００３０】
図２（ａ）に示すように、制御手段は、ウェブページのうち、所定の範囲内（画面表示枠内）の情報とポインタとを画面に重畳表示させる。なお、図２（ａ）に示す例では、画面表示枠は、斜線等で示されている。【００３１】
ユーザによってポインティングデバイス３に右にスライドする操作がなされたり、十字キー４が含む右ボタンが押下されたりした場合に、制御手段は、図２（ｂ）に示すように、ポインタを表示する位置を右に変化させる。【００３２】
また、ユーザによってポインティングデバイス３に下にスライドする操作がなされたり、十字キー４が含む下ボタンが押下されたりした場合に、制御手段は、図２（ｃ）に示すように、ポインタを表示する位置を右に変化させる。【００３３】
さらに、ユーザによってポインティングデバイス３に下にスライドする操作がなされたり、十字キー４が含む下ボタンが押下されたりして、ポインタが所定の範囲外（画面表示枠外）に移動した場合に、制御手段は、図２（ｄ）に示すように、ウェブページのうち、画面に表示させる領域を下に移動する。つまり、画面表示枠は下に移動する。【００３４】
図３は、サイト内ブラウジングによって画面に表示させる領域を変化（移動）させる場合を示す説明図である。【００３５】
図３（ａ）に示すように、制御手段は、ウェブページのうち、所定の範囲内（画面表示枠内）の情報を画面に表示させる。【００３６】
ユーザによってポインティングデバイス３に右にスライドする操作がなされたり、十字キー４が含む右ボタンが押下されたりした場合に、制御手段は、図３（ｂ）に示すように、ウェブページのうち、画面に表示させる領域を右に移動する。つまり、画面表示枠は右に移動する。【００３７】
また、ユーザによってポインティングデバイス３に下にスライドする操作がなされたり、十字キー４が含む下ボタンが押下されたりした場合に、制御手段は、図３（ｃ）に示すように、ウェブページのうち、画面に表示させる領域を下に移動する。つまり、画面表示枠は下に移動する。【００３８】
さらに、ユーザによってポインティングデバイス３に右にスライドする操作がなされたり、十字キー４が含む右ボタンが押下されたりした場合に、制御手段は、図３（ｄ）に示すように、ウェブページのうち、画面に表示させる領域を右に移動する。つまり、画面表示枠は右に移動する。【００３９】
図４は、画面に表示させる領域を変化（移動）させる方法を切り替える動作を説明するフローチャートである。図５は、画面に表示させる領域を変化（移動）させる方法を、画面内ブラウジングからサイト内ブラウジングに切り替える動作を示す説明図である。図６は、画面に表示させる領域を変化（移動）させる方法を、サイト内ブラウジングから画面内ブラウジングに切り替える動作を示す説明図である。【００４０】
制御手段は、ユーザによって、ポインティングデバイス３や十字キー４、ダイヤルキー５等に画面内ブラウジングによってウェブページを画面に表示するための所定の操作がなされた場合に（ステップＳ１０１のＹ）、図５（ａ）に示すように、ウェブページのうち、所定の範囲内（画面表示枠内）の情報とポインタとを画面に重畳表示させる。【００４１】
ユーザによってポインティングデバイス３に右にスライドする操作がなされたり、十字キー４が含む右ボタンが押下されたりした場合に（ステップＳ１０２のＹ）、制御手段は、図５（ｂ）に示すように、ポインタを表示する位置を右に変化させる（ステップＳ１０４）。なお、制御手段は、ユーザによって、ポインティングデバイス３や十字キー４、ダイヤルキー５等にウェブページの表示を終了するための所定の操作がなされた場合に（ステップＳ１０３のＹ）、ウェブページの表示を終了する。【００４２】
さらに、ユーザによってポインティングデバイス３に右にスライドする操作がなされたり、十字キー４が含む右ボタンが押下されたりしてポインタが所定の範囲外（画面表示枠外）に移動した場合に（ステップＳ１０５のＹ）、制御手段は、図５（ｃ）に示すように、画面内ブラウジングからサイト内ブラウジングに切り替えて、ウェブページのうち、画面に表示させる領域を右に移動し、画面の中心であることを示すポインタである全方向ポインタを当該画面の中心に重畳表示させる（ステップＳ１０６）。【００４３】
さらに、ユーザによってポインティングデバイス３に右下にスライドする操作がなされたり、十字キー４が含む右ボタンと下ボタンとが押下されたりした場合に（ステップＳ１０７のＹ）、制御手段は、図５（ｄ）に示すように、ウェブページのうち、画面に表示させる領域を右下に移動する（ステップＳ１０９）。なお、制御手段は、ユーザによって、ポインティングデバイス３や十字キー４、ダイヤルキー５等にウェブページの表示を終了するための所定の操作がなされた場合に（ステップＳ１０８のＹ）、ウェブページの表示を終了する。【００４４】
さらに、ユーザによってポインティングデバイス３に操作がなされたり、十字キー４が含むボタンのいずれかが押下されたりしている場合に（ステップＳ１１０のＮ、ステップＳ１０７のＹ、ステップＳ１０８のＮ）、制御手段は、図６（ａ）に示すように、サイト内ブラウジングを継続して、ウェブページのうち、画面に表示させる領域を移動する（ステップＳ１０９）。【００４５】
ユーザによるポインティングデバイス３への操作が終了し、十字キー４が含むボタンの押下が終了した場合に（ステップＳ１１０のＹ）、制御手段は、図６（ｂ）に示すように、全方向ポインタの重畳表示を終了する。そして、ユーザによってポインティングデバイス３に下にスライドする操作がなされたり、十字キー４が含む下ボタンが押下されたりした場合に、制御手段は、図６（ｃ）に示すように、サイト内ブラウジングから画面内ブラウジングに切り替えて、ポインタを重畳表示する（ステップＳ１１１）。【００４６】
さらに、ユーザによってポインティングデバイス３に右にスライドする操作がなされたり、十字キー４が含む右ボタンが押下されたりした場合に（ステップＳ１０２のＹ、ステップＳ１０３のＮ）、制御手段は、図６（ｄ）に示すように、ポインタを表示する位置を右に変化させる（ステップＳ１０４）。【００４７】
次に、各ブラウジングにおけるアンカ動作について説明する。図７は、画面内ブラウジングにおけるリンクのアンカ動作を示す説明図である。図７（ａ）に示すように、制御手段は、ウェブページのうち、所定の範囲内（画面表示枠内）の情報とポインタとを画面に重畳表示させ、ウェブページにおけるポインタの近傍のリンクの表示を変化させる。図７（ａ）に示す例では、「６００型」が太字で表示されている。【００４８】
そして、ユーザによってポインティングデバイス３に左下にスライドする操作がなされたり、十字キー４が含む左ボタンと下ボタンとが押下されたりした場合に、制御手段は、図７（ｂ）に示すように、ポインタを表示する位置を右に変化させ、ウェブページにおけるポインタの近傍のリンクの表示を変化させる。図７（ｂ）に示す例では、「９００型」が太字で表示されている。【００４９】
制御手段は、リンクの表示を変化させた状態で、ユーザによってポインティングデバイス３が押下される等の選択操作がなされた場合に、当該リンクによって結びつけられた内容に応じた動作を行う。具体的には、例えば、他のウェブページを画面に表示させたりする。なお、本実施の形態において、リンクの表示を変化させることをアンカ動作を行うという。【００５０】
図８は、サイト内ブラウジングにおけるリンクのアンカ動作を示す説明図である。図８（ａ）に示すように、制御手段は、ウェブページのうち、所定の範囲内（画面表示枠内）の情報と全方向ポインタとを画面に重畳表示させ、ウェブページにおける全方向ポインタの近傍のリンクの表示を変化させる。図８（ａ）に示す例では、「６００型」が太字で表示されている。なお、全方向ポインタは画面中央に表示される。【００５１】
そして、ユーザによってポインティングデバイス３に左下にスライドする操作がなされたり、十字キー４が含む左ボタンと下ボタンとが押下されたりした場合に、制御手段は、図８（ｂ）に示すように、ウェブページのうち、画面に表示させる領域を右下に移動し、ウェブページにおける全方向ポインタの近傍のリンクの表示を変化させる。図８（ｂ）に示す例では、「９００型」が太字で表示されている。なお、制御手段は、全方向ポインタを常に画面の中央に重畳表示させる。【００５２】
本実施の形態では、画面内ブラウジングとサイト内ブラウジングとを切り替えるので、画面内ブラウジングでは、容易にリンクへのアンカ動作を行うことができ、サイト内ブラウジングでは画面をスムーズに移動させることができる。【００５３】
また、画面内ブラウジングで、ポインタが領域外に移動した場合に、サイト内ブラウジングに遷移させ、サイト内ブラウジングで、ユーザによってなされた操作が終了した場合に、画面内ブラウジングに遷移させるので、ユーザに意識させずにサイト内ブラウジングと画面内ブラウジングとを相互に切り替えることができる。【００５４】
なお、本実施の形態では、閲覧対象の情報としてウェブページを例にしたが、ウェブページ以外の情報を対象にする場合にも本発明を適用できる。例えば、ディスプレイに表示されるものが、撮像手段によって得られた画像、通信網を介して受信したり脱着可能な記憶手段を介して入力したファイル（一例として、ＰＤＦ形式のファイルやテキストファイル）、受信メール、送信メール等をディスプレイ２に表示させる場合にも本発明を適用できる。
本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。
【産業上の利用可能性】
【００５５】
本発明は、ウェブページを表示する携帯電話機やＰＨＳ（Ｐｅｒｓｏｎａｌ  Ｈａｎｄｙ  ｐｈｏｎｅ  Ｓｙｓｔｅｍ）端末に適用することができる。また本発明は、ウェブページを表示する機能を備えた、携帯オーディオ機器、携帯ゲーム機器、電子辞書、携帯テレビ端末等にも適用することができる。これらの機器の共通点は、その携帯性ゆえに、表示領域に収まらないサイズの閲覧対象の情報を表示するケースが多いことであり、上記した機器以外にも適用可能であることはいうまでもない。
【図１】
0005396860.tif 000002
【図２】
0005396860.tif 000003
【図３】
0005396860.tif 000004
【図４】
0005396860.tif 000005
【図５】
0005396860.tif 000006
【図６】
0005396860.tif 000007
【図７】
0005396860.tif 000008
【図８】
0005396860.tif 000009